(57)【特許請求の範囲】
【請求項１】
（ａ）一般式（Ｉ）：
【化１】
0003595140.tif 000012
（式中、Ｒ1 は水素原子または炭素数１〜４の炭化水素基、Ｘは酸素原子、オキシメチレン基、カルボニル基または−（ＣＨ2 ）k −基〔ｋは１または２を示す〕、Ｙは水酸基、炭素数１〜７の炭化水素基または−（Ｒ2 Ｏ）j Ｈ基〔Ｒ2 は炭素数２または３のアルキレン基、ｊは１〜８の整数を示す〕を示す）で表わされる芳香族化合物１０〜９４重量％、
（ｂ）一級、二級および／または三級アミン性の窒素原子を１分子中に１〜５個有し、かつ分子量５０〜１００００を有するアミン系化合物ならびに水酸化第四級アンモニウム化合物からなる群より選ばれた少なくとも１種の有機系アルカリ剤０．５〜５０重量％、および
水５．５重量％以上、８９．５重量％以下
を含有してなるプラスチックレンズ成形ガラス型用洗浄剤組成物。
【請求項２】
さらに、一般式（II）：
Ｒ3 −Ｏ−（Ｒ4 −Ｏ）m −Ｒ5     （II）
（式中、Ｒ3 は炭素数１〜８のアルキル基またはアリル基、Ｒ4 は炭素数２〜４のアルキレン基、Ｒ5 は水素原子、炭素数１〜４のアルキル基、炭素数１〜４のアシル基またはアリル基、ｍは１〜８の整数を示す）で表わされるアルキレンオキサイド化合物を含有してなる請求項１記載の洗浄剤組成物。
【請求項３】
さらに、水溶性多価アルコールを含有してなる請求項１または２記載の洗浄剤組成物。
【請求項４】
（Ａ）プラスチックレンズ成形ガラス型を、請求項１〜３いずれか記載の洗浄剤組成物を用いて洗浄し、
（Ｂ）洗浄された成形ガラス型を、すすぎ水ですすぐこと
を特徴とするプラスチックレンズ成形ガラス型の洗浄方法。
【発明の詳細な説明】
【０００１】
【発明の属する技術分野】
本発明は、プラスチックレンズ成形ガラス型用洗浄剤組成物およびそれを用いた洗浄方法に関する。さらに詳しくは、各種光学用プラスチックレンズの製造に使用される成形ガラス型に付着したプラスチックレンズ成形用原料、未反応モノマー、オリゴマー、ポリマー、ガスケットからブリードアウトした成分、可塑剤、接着剤、鋳型固定用テープ由来の粘着剤などの高分子量の樹脂状汚れなどを洗浄するためのプラスチックレンズ成形ガラス型用洗浄剤組成物およびそれを用いた洗浄方法に関する。
【０００２】
【従来の技術】
近年、光学用プラスチックレンズ向けの樹脂として、アリルジグリコールカーボネート（ＡＤＣ）樹脂、ウレタン系樹脂、含硫黄ウレタン系樹脂、メタクリル系樹脂、アクリル系樹脂、ポリカーボネート系樹脂、臭素配合系樹脂、オレフィン系樹脂、スチレン系樹脂、ノルボルネン系樹脂、チオエーテル／エステル系樹脂などが使用されている。
【０００３】
光学用プラスチックレンズの製造方法としては、例えば、メガネ用プラスチックレンズの場合、プラスチックレンズ本体は、成形ガラス型を鋳型として用いて成形した後、外周整形を行い、さらにエッジ部分の面取りを行って、洗浄される。
【０００４】
一方、プラスチックレンズを離型した後の成形ガラス型には、プラスチックレンズ成形用原料、未反応モノマー、オリゴマー、ポリマー、ガスケットからブリードアウトした成分や可塑剤、接着剤、鋳型固定用テープ由来の粘着剤などの高分子量の樹脂状汚れをはじめ、雰囲気中の粉塵、作業者の指紋などの汚れが付着している。このような汚れが成形ガラス型に付着している場合、表面がスムーズな良質のプラスチックレンズが得られなくなったり、成形ガラス型に汚れが蓄積した場合、得られるプラスチックレンズに破損や傷が発生するおそれがあるため、該成形ガラス型を使用することができなくなり、廃棄せざるを得なくなることがある。
【０００５】
前記汚れのうち、プラスチックレンズ成形用原料由来のオリゴマー、ポリマー、ガスケットからブリードアウトした成分、接着剤、鋳型固定用テープ由来の粘着剤などの高分子量の樹脂状汚れは、成形ガラス型の硬質表面に強固に付着（接着）し、しかも樹脂状汚れ自身の分子量が高いため、溶解、膨潤、軟化、崩壊、剥離作用などを利用した薬剤による洗浄が非常に困難である。
【０００６】
近年、プラスチックレンズ成形ガラス型用洗浄剤として、例えば、特定のグリコールジエーテルが用いられた洗浄剤（特開平８−２２４７４０号公報）、特定の水溶性アミド化合物または水溶性ラクトン化合物と、アルカノールアミンまたは第四級アンモニウムヒドロキシ化合物と、芳香族炭化水素と、水とを含有する洗浄剤（特開平９−３４８６号公報）などが知られている。
【０００７】
しかしながら、これらの洗浄剤は、いずれも樹脂状汚れを溶解して洗浄することが主な洗浄機構であるため、樹脂状汚れの分子量が大きい場合、溶解に長時間を要するという欠点がある。
【０００８】
【発明が解決しようとする課題】
本発明は、前記従来技術に鑑みてなされたものであり、成形ガラス型に付着した高分子量の樹脂状汚れに対する洗浄性および洗浄時における人体に対する安全性に優れ、洗浄機器関連の部材を腐食しないプラスチックレンズ成形ガラス型用洗浄剤組成物を提供することを目的とする。
【０００９】
本発明は、また、成形ガラス型に付着した高分子量の樹脂状汚れに対する洗浄性および洗浄時における人体に対する安全性に優れ、洗浄機器関連の部材を腐食させずに洗浄することができる洗浄方法を提供することを目的とする。
【００１０】
【課題を解決するための手段】
すなわち、本発明の要旨は、
〔１〕  （ａ）一般式（Ｉ）：
【００１１】
【化２】
0003595140.tif 000002
【００１２】
（式中、Ｒ1 は水素原子または炭素数１〜４の炭化水素基、Ｘは酸素原子、オキシメチレン基、カルボニル基または−（ＣＨ2 ）k −基〔ｋは１または２を示す〕、Ｙは水酸基、炭素数１〜７の炭化水素基または−（Ｒ2 Ｏ）j Ｈ基〔Ｒ2 は炭素数２または３のアルキレン基、ｊは１〜８の整数を示す〕を示す）で表わされる芳香族化合物１０〜９４重量％、
（ｂ）一級、二級および／または三級アミン性の窒素原子を１分子中に１〜５個有し、かつ分子量５０〜１００００を有するアミン系化合物ならびに水酸化第四級アンモニウム化合物からなる群より選ばれた少なくとも１種の有機系アルカリ剤０．５〜５０重量％、および
水５．５重量％以上、８９．５重量％以下
を含有してなるプラスチックレンズ成形ガラス型用洗浄剤組成物、
〔２〕  さらに、一般式（II）：
Ｒ3 −Ｏ−（Ｒ4 −Ｏ）m −Ｒ5     （II）
（式中、Ｒ3 は炭素数１〜８のアルキル基またはアリル基、Ｒ4 は炭素数２〜４のアルキレン基、Ｒ5 は水素原子、炭素数１〜４のアルキル基、炭素数１〜４のアシル基またはアリル基、ｍは１〜８の整数を示す）で表わされるアルキレンオキサイド化合物を含有してなる前記〔１〕記載の洗浄剤組成物、
〔３〕  さらに、水溶性多価アルコールを含有してなる前記〔１〕または〔２〕記載の洗浄剤組成物、
〔４〕  （Ａ）プラスチックレンズ成形ガラス型を、前記〔１〕〜〔３〕いずれか記載の洗浄剤組成物を用いて洗浄し、
（Ｂ）洗浄された成形ガラス型を、すすぎ水ですすぐこと
を特徴とするプラスチックレンズ成形ガラス型の洗浄方法
に関する。
【００１３】
【発明の実施の形態】
本発明のプラスチックレンズ成形ガラス型用洗浄剤組成物は、前記したように、（ａ）一般式（Ｉ）：
【００１４】
【化３】
0003595140.tif 000003
【００１５】
（式中、Ｒ1 は水素原子または炭素数１〜４の炭化水素基、Ｘは酸素原子、オキシメチレン基、カルボニル基または−（ＣＨ2 ）k −基〔ｋは１または２を示す〕、Ｙは水酸基、炭素数１〜７の炭化水素基または−（Ｒ2 Ｏ）j Ｈ基〔Ｒ2 は炭素数２または３のアルキレン基、ｊは１〜８の整数を示す〕を示す）で表わされる芳香族化合物１０〜９４重量％、
（ｂ）一級、二級および／または三級アミン性の窒素原子を１分子中に１〜５個有し、かつ分子量５０〜１００００を有するアミン系化合物ならびに水酸化第四級アンモニウム化合物からなる群より選ばれた少なくとも１種の有機系アルカリ剤０．５〜５０重量％、および
水５．５重量％以上、８９．５重量％以下
を含有してなるものである。
【００１６】
本発明においては、前記芳香族化合物と有機系アルカリ剤とが併用されている点に１つの大きな特徴がある。このように芳香族化合物と有機系アルカリ剤とが併用されていることにより、プラスチックレンズ成形ガラス型に付着した種々の汚れの溶解性、種々の樹脂状汚れへの浸透性および樹脂状汚れの膨潤性ならびにそれに伴う汚れの崩壊性が相乗的に高められるので、優れた洗浄性が発現される。
【００１７】
前記一般式（Ｉ）において、Ｒ１  は、水素原子または炭素数１〜４の炭化水素基である。
【００１８】
前記炭素数１〜４の炭化水素基としては、例えば、メチル基、エチル基、プロピル基およびブチル基に代表される直鎖飽和炭化水素基；イソプロピル基、イソブチル基、ｓｅｃ−ブチル基およびｔｅｒｔ−ブチル基に代表される分岐鎖飽和炭化水素基；ビニル基、アリル基およびブテニル基に代表される直鎖不飽和炭化水素基；イソプロペニル基などの分岐鎖不飽和炭化水素基；シクロプロピル基、シクロブチル基などの環状飽和炭化水素基；シクロプロペニル基、シクロブテニル基などの環状不飽和炭化水素基などがあげられる。
【００１９】
前記Ｒ１  のなかでは、入手の容易性の観点から、水素原子、メチル基およびエチル基は、本発明において、好ましい基である。
【００２０】
前記一般式（Ｉ）  において、Ｘは酸素原子、オキシメチレン基、カルボニル基または−（ＣＨ２  ）ｋ  −基（ｋは前記と同じ）である。
【００２１】
前記−（ＣＨ２  ）ｋ  −基において、ｋは、入手の容易性の観点から、１または２とされる。
【００２２】
前記Ｘにおいて、樹脂状汚れに対する洗浄性を向上させる観点から、酸素原子、オキシメチレン基およびカルボニル基が、本発明においては、特に好ましい基である。
【００２３】
前記Ｙは、水酸基、炭素数１〜７の炭化水素基または−（Ｒ２  Ｏ）ｊ  Ｈ基（  Ｒ２  は炭素数２または３のアルキレン基、ｊは１〜８の整数を示す）である。
【００２４】
前記炭素数１〜７の炭化水素基としては、例えば、メチル基、エチル基、プロピル基、ブチル基、ペンチル基、ヘキシル基およびヘプチル基に代表される直鎖飽和炭化水素基；イソプロピル基、イソブチル基、ｓｅｃ−ブチル基、ｔｅｒｔ−ブチル基に代表される分岐鎖飽和炭化水素基；ビニル基、アリル基、ブテニル基、ペンテニル基、ヘキセニル基およびヘプテニル基に代表される直鎖不飽和炭化水素基；イソプロペニル基などの分岐鎖不飽和炭化水素基；シクロプロピル基、シクロブチル基、シクロペンチル基、シクロヘキシル基およびシクロヘプチル基に代表される環状飽和炭化水素基；シクロプロペニル基、シクロブテニル基、シクロペンテニル基、シクロヘキセニル基およびシクロヘプテニル基に代表される環状不飽和炭化水素基などがあげられる。
【００２５】
前記−（Ｒ２  Ｏ）ｊ  Ｈ基において、Ｒ２  は、優れた洗浄性を発現させ、入手が容易である観点から、炭素数２または３のアルキレン基とされる。また、ｊは、洗浄後のすすぎ性の観点から、１以上の整数であり、２以上の整数が好ましく、洗浄性を向上させる観点から、８以下の整数であり、４以下の整数が好ましい。
【００２６】
前記炭素数２または３のアルキレン基としては、エチレン基およびプロピレン基があげられる。
【００２７】
また、本発明においては、一般式（Ｉ）  において、Ｘで示される基およびＹで示される基の少なくともいずれかの基に酸素原子が含まれていることが樹脂状汚れに対する洗浄性を向上させる観点でより好ましい。
【００２８】
なお、前記一般式（Ｉ）において、Ｘがカルボニル基であり、Ｙが水酸基である場合には、−Ｘ−Ｙ基は、カルボキシル基となり、有機系アルカリ剤と反応して塩を形成するようになる。かかる塩は、洗浄性を低下させることがあるので、本発明においては、Ｘがカルボニル基であり、かつＹが水酸基である場合が除外されていることが望ましい。
【００２９】
前記一般式（Ｉ）  で表わされる芳香族化合物の代表例としては、例えば、アルキルベンゼン、芳香族アルコール、芳香族エーテル、芳香族ケトン、芳香族グリコールエーテルなどがあげられる。
【００３０】
前記芳香族化合物の具体例としては、例えば、エチルベンゼン、プロピルベンゼン、ブチルベンゼン、オクチルベンゼンなどのアルキルベンゼン；ベンジルアルコール、４−エチルベンジルアルコール、β−フェニルエチルアルコールなどの芳香族アルコール；アニソール、フェネトール、イソプロピルフェニルエーテル、ブチルフェニルエーテル、ベンジルメチルエーテル、ベンジルエチルエーテル、ベンジルイソプロピルエーテル、ベンジルブチルエーテルなどの芳香族エーテル；アセトフェノン、ｐ−メチルアセトフェノン、エチルフェニルケトン、イソプロピルフェニルケトン、ベンジルエチルケトン、ベンジルイソプロピルケトン、ベンジルブチルケトンなどの芳香族ケトン；（ＰＯＥ）１  〜８  モノフェニルエーテル、（ＰＯＥ）１  〜８  モノベンジルエーテル、（ＰＯＰ）１  〜８  モノフェニルエーテル、（ＰＯＰ）１  〜８  モノベンジルエーテルなどの芳香族グリコールエーテルなどがあげられるが、本発明はかかる例示にのみに限定されるものではない。なお、前記芳香族化合物は、それぞれ単独でまたは２種以上を混合して用いることができる。
【００３１】
なお、本明細書において、「（ＰＯＥ）」は、エチレンオキサイド基を示し、（ＰＯＥ）の右下の添字は、エチレンオキサイド基の付加モル数を示す。また、「（ＰＯＰ）」の語は、プロピレンオキサイド基を示し、（ＰＯＰ）の右下の添字は、プロピレンオキサイド基の付加モル数を示す。なお、（ＰＯＥ）１  〜８  モノメチルエーテルは、エチレンオキサイド付加モル数が１〜８の化合物の略記である。
【００３２】
前記芳香族化合物のなかでは、洗浄性および入手の容易性の観点から、特にベンジルアルコール、β−フェニルエチルアルコール、（ＰＯＥ）１  〜３  モノフェニルエーテルおよび（ＰＯＥ）１  〜３  モノベンジルエーテルが本発明においては好ましい。
【００３３】
本発明の洗浄剤組成物における、前記芳香族化合物の含有量は、洗浄性を向上させる観点から、１０重量％以上であり、２０重量％以上が好ましく、３５重量％以上がより好ましく、４０重量％以上がさらに好ましい。また、洗浄後のリンス性を向上させる観点から、９４重量％以下であり、８０重量％以下が好ましく、６５重量％以下がより好ましく、５０重量％以下がさらに好ましい。
【００３４】
本発明においては、前記したように、有機系アルカリ剤を用いる点に１つの大きな特徴がある。このように有機系アルカリ剤を用いることにより、成形ガラス型に付着した樹脂状汚れ成分との高い相溶性による、樹脂状汚れへの浸透、樹脂状汚れの膨潤効果により洗浄性が高まり、さらに洗浄時に使用する洗浄機器関連の部材の腐食を抑制するという優れた効果を発現する。
【００３５】
前記有機系アルカリ剤としては、一級、二級および／または三級アミン性の窒素原子を１分子中に１〜５個有し、かつ分子量５０〜１００００を有するアミン系化合物ならびに水酸化第四級アンモニウム化合物からなる群より選ばれた少なくとも１種などがあげられる。
【００３６】
前記アミン系化合物は、水への溶解性を高め、樹脂状汚れの接触面付近の水相で汚れを剥離する効果を十分に発現させる観点から、一級、二級および／または三級アミン性の窒素原子を１分子中に１個以上、好ましくは、２個以上有することが望ましく、また、樹脂状汚れ内部への浸透性を十分に発現させる観点から、一級、二級および／または三級アミン性の窒素原子を５個以下、好ましくは３個以下を有することが望ましい。
【００３７】
前記アミン系化合物の分子量は、該アミン系化合物が蒸発することによって該アミン系化合物の含有量が低下したり、取り扱いの危険性を回避する観点から、５０以上とされ、樹脂状汚れ内部への浸透性を十分に発現させる観点から、１００００以下とされる。
【００３８】
前記アミン系化合物の代表例としては、例えば、炭素数１〜２２の直鎖アルキル基を有する直鎖アルキルアミン、炭素数１〜２２の分岐鎖アルキル基を有する分岐鎖アルキルアミン、環式アミン、炭素数１〜１８のアルキル基を有するアルキルアルカノールアミン、モルホリン類、複素環式アミン、ジアミン、ポリアミンなどがあげられるが、本発明はかかる例示のみに限定されるものではない。
【００３９】
前記炭素数１〜２２の直鎖アルキル基を有する直鎖アルキルアミンの具体例としては、例えば、モノメチルアミン、モノエチルアミン、モノプロピルアミン、モノブチルアミン、モノアミルアミン、モノヘキシルアミン、モノオクチルアミン、モノデシルアミン、モノラウリルアミン、モノミリスチルアミン、モノセチルアミン、モノステアリルアミン、ジメチルアミン、ジエチルアミン、ジプロピルアミン、ジブチルアミン、メチルエチルアミン、メチルプロピルアミン、メチルブチルアミン、メチルヘキシルアミン、トリメチルアミン、トリエチルアミン、トリプロピルアミン、トリブチルアミンなどがあげられる。
【００４０】
前記炭素数１〜２２の分岐鎖アルキル基を有する分岐鎖アルキルアミンとしては、例えば、ｓｅｃ−ブチルアミン、イソブチルアミン、ｔｅｒｔ−ブチルアミン、１−メチルブチルアミン、１−エチルプロピルアミン、２−メチルブチルアミン、イソアミルアミン、ジメチルプロピルアミン、ｔｅｒｔ−アミルアミン、１，３−ジメチルブチルアミン、３，３−ジメチルブチルアミン、２−アミノヘプタン、３−アミノヘプタン、１−メチルヘプチルアミン、２−エチルヘキシルアミン、１，５−ジメチルヘキシルアミン、ｔｅｒｔ−オクチルアミン、ｔｅｒｔ−トリデシルアミン、ｔｅｒｔ−ナノデシルアミン、ジイソブチルアミン、ジイソプロピルエチルアミンなどがあげられる。
【００４１】
前記環式アミンの具体例としては、例えば、シクロヘキシルアミン、ベンジルアミン、ジシクロヘキシルアミン、ジベンジルアミンなどがあげられる。
【００４２】
前記炭素数１〜１８のアルキル基を有するアルキルアルカノールアミンの具体例としては、例えば、モノエタノールアミン、ジエタノールアミン、トリエタノールアミン、メチルモノエタノールアミン、ジメチルモノエタノールアミン、メチルジエタノールアミン、ブチルモノエタノールアミン、トリメチルアミノプロピルエタノールアミン、トリメチルヒドロキシエチルジエチレントリアミンなどがあげられる。
【００４３】
前記モルホリン類の具体例としては、例えば、モルホリン、Ｎ−メチルモルホリン、Ｎ−エチルモルホリン、２，６−ジメチルモルホリン、４−（２−ヒドロキシエチル）モルホリン、４−アミノモルホリン、４−（２−アミノエチル）モルホリン、４−（３−アミノプロピル）モルホリンなどがあげられる。
【００４４】
前記複素環式アミンの具体例としては、例えば、４−アミノメチルピリジン、アミノメチルピペラジン、ビスアミノプロピルピペラジン、トリメチルアミノエチルピペラジン、２−アミノメチルピペリジン、４−アミノメチルピペリジン、２−メチルピラジン、キノキサリン、メチルイミダゾールなどがあげられるが、本発明はかかる例示のみに限定されるものではない。
【００４５】
前記ジアミンの具体例としては、例えば、ジアミノプロパン、ジアミノヘキサン、ジアミノオクタン、ジアミノドデカン、４，４’−メチレンビス（シクロヘキシルアミン）、１，３−ジアミノキシレン、１，３−ビス（アミノメチル）シクロヘキサン、トリエチレンジアミン、テトラメチルエチレンジアミン、テトラメチルプロピレンジアミン、テトラメチルヘキサメチレンジアミン、メチルジアミノプロパン、ジメチルジアミノプロパン、ジブチルジアミノプロパン、Ｎ−シクロヘキシル−１，３−ジアミノプロパン、１，２−ジアミノアントラキノン、ペンタメチルジエチレントリアミンなどがあげられる。
【００４６】
前記ポリアミンの具体例としては、例えば、ジエチレントリアミン、トリエチレンテトラミン、テトラエチレンペンタミンなどの三級アミノ基を含む重合性単量体からなる重合体、または該重合性単量体とノニオン性単量体との共重合体、ポリアミド／エピハロヒドリン系ポリマー、三級アミノ化澱粉、三級アミノ化セルロース、グリコールキトサン、三級アミノ化ポリウレタン樹脂、三級アミノ化ポリアクリルアミドなどがあげられる。
【００４７】
また、前記水酸化第四級アンモニウム化合物の具体例としては、例えば、テトラメチルアンモニウムヒドロキシド、テトラエチルアンモニウムヒドロキシド、トリメチルヒドロキシエチルアンモニウムヒドロキシド（コリン）などがあげられる。
【００４８】
なお、前記有機系アルカリ剤は、単独でまたは２種以上を混合して用いることができる。
【００４９】
本発明の洗浄剤組成物中における有機系アルカリ剤の含有量は、洗浄性を向上させる観点から、０．５重量％以上であり、２重量％以上が好ましく、５重量％以上がさらに好ましく、１０重量％以上が特に好ましく、また、洗浄時における人体への安全性の観点から５０重量％以下であり、４０重量％以下が好ましく、３０重量％以下がさらに好ましく、２０重量％以下が特に好ましい。
【００５０】
前記水は、有機系アルカリ剤のアルカリ作用を促進する溶媒として用いられる。
【００５１】
ここで用いられる水は、本発明の洗浄剤組成物の効果を損なわないものであれば特に限定されるものではなく、超純水、純水、イオン交換水、蒸留水、通常の水道水等が用いられる。
【００５２】
本発明の洗浄剤組成物における水の含有量は、本発明の洗浄剤組成物の芳香族化合物、有機アルカリ剤、必要により添加されるアルキレンオキサイド化合物、水溶性多価アルコール、後述する添加剤などの残部であるが、本発明の洗浄剤組成物の各成分を配合した際の相溶性および有機系アルカリ剤が有する樹脂状汚れの剥離効果を十分に発現させる観点から、５．５重量％以上、好ましくは１５重量％以上、より好ましくは３０重量％以上、さらに好ましくは５０重量％以上であることが望ましく、また、優れた洗浄性を発現させる観点から、８９．５重量％以下、好ましくは８０重量％以下、より好ましくは７０重量％以下、さらに好ましくは６０重量％以下であることが望ましい。
【００５３】
本発明の洗浄剤組成物に、さらにアルキレンオキサイド化合物を含有させることができる。このようにアルキレンオキサイド化合物を含有させた洗浄剤は、洗浄性や洗浄後のすすぎ性、水などの成分を配合する際の相溶性をより一層向上させることができるという利点がある。
【００５４】
前記アルキレンオキサイド化合物としては、一般式（ＩＩ）：
Ｒ３  −Ｏ−（Ｒ４  −Ｏ）ｍ  −Ｒ５      （ＩＩ）
（式中、Ｒ３  は炭素数１〜８のアルキル基またはアリル基、Ｒ４  は炭素数２〜４のアルキレン基、Ｒ５  は水素原子、炭素数１〜４のアルキル基、炭素数１〜４のアシル基またはアリル基、ｍは１〜８の整数を示す）で表わされるアルキレンオキサイド化合物が用いられる。
【００５５】
前記一般式（ＩＩ）において、Ｒ３  は、水に対する溶解性の低下を抑え、粘度の上昇を抑えて洗浄後のすすぎを容易にする観点から、炭素数が１〜８、好ましくは３〜８、より好ましくは３〜６のアルキル基またはアリル基である。
【００５６】
前記Ｒ４  は、炭素数２〜４のアルキレン基である。かかるアルキレン基の炭素数は、入手の容易性の観点から、２〜４とされる。
【００５７】
前記炭素数が２〜４のアルキレン基の具体例としては、エチレン基、プロピレン基およびブチレン基があげられる。
【００５８】
前記Ｒ５  は、水素原子、炭素数１〜４のアルキル基、炭素数１〜４のアシル基またはアリル基である。
【００５９】
前記ｍは、洗浄性や配合成分の相溶性を十分に発現させる観点から、１以上の整数とされ、また、粘度の上昇を抑え、洗浄後のすすぎを容易にする観点から、８以下の整数、好ましくは４以下の整数とされる。
【００６０】
前記アルキレンオキサイド化合物の代表例としては、例えば、エチレングリコールモノエーテル類、エチレングリコールジエーテル類、プロピレングリコールモノエーテル類、プロピレングリコールジエーテル類、エチレングリコールモノエーテルアセテート類、プロピレングリコールモノエーテルアセテート類、ブチレングリコールモノエーテル類、ブチレングリコールジエーテル類、ブチレングリコールモノエーテルアセテート類などがあげられるが、これらは単独でまたは２種以上を混合して用いることができる。
【００６１】
前記アルキレンオキサイド化合物の中では、（ＰＯＥ）１  〜５  モノメチルエーテル、（ＰＯＥ）１  〜５  モノエチルエーテル、（ＰＯＥ）１  〜５  モノプロピルエーテル、（ＰＯＥ）１  〜５  モノブチルエーテル、（ＰＯＥ）１  〜２  モノイソブチルエーテル、（ＰＯＥ）１  〜２  モノアリルエーテル、（ＰＯＥ）１  〜２  モノヘキシルエーテル、（ＰＯＥ）１  〜２  モノ２−エチルヘキシルエーテル、（ＰＯＥ）１  〜４  ジメチルエーテル、（ＰＯＥ）１  〜２  ジエチルエーテル、（ＰＯＥ）１  〜２  ジプロピルエーテル、（ＰＯＥ）１  〜２  ジブチルエーテル、（ＰＯＥ）２  〜３  エチルメチルエーテル、（ＰＯＥ）２  〜３  ブチルメチルエーテル、（ＰＯＥ）２  〜３  ２−エチルヘキシルメチルエーテル、（ＰＯＰ）１  〜３  モノメチルエーテル、（ＰＯＰ）１  〜３  モノエチルエーテル、（ＰＯＰ）１  〜３  モノプロピルエーテル、（ＰＯＰ）１  〜３  モノブチルエーテル、（ＰＯＰ）１  〜３  モノヘキシルエーテル、（ＰＯＰ）１  〜３  ジメチルエーテル、（ＰＯＰ）１  〜２  ジエチルエーテル、（ＰＯＰ）１  〜２  ジプロピルエーテル、（ＰＯＰ）１  〜２  ジブチルエーテル、（ＰＯＰ）２  イソプロピルメチルエーテル、（ＰＯＰ）２  イソプロピルエチルエーテル、（ＰＯＥ）１  〜２  モノメチルエーテルアセテート、（ＰＯＥ）１  〜２  モノエチルエーテルアセテート、（ＰＯＥ）１  〜２  モノプロピルエーテルアセテート、（ＰＯＥ）１  〜２  モノブチルエーテルアセテート、（ＰＯＰ）１  モノメチルエーテルアセテートおよび（ＰＯＰ）１  モノエチルエーテルアセテートは、洗浄性や洗浄後のすすぎの容易性、他の成分を配合する際の相溶性を十分に発現させる観点から好ましいものである。
【００６２】
前記アルキレンオキサイド化合物の洗浄剤組成物中における含有量は、水などの他の成分を配合する際の相溶性、洗浄性や洗浄後のすすぎ性などを向上させる観点から、１重量％以上、好ましくは５重量％以上、より好ましくは８重量％以上、さらに好ましくは１０重量％以上とすることが望ましく、また樹脂状汚れの洗浄性の低下を抑える観点から、４５重量％以下、好ましくは３０重量％以下、より好ましくは２０重量％以下、さらに好ましくは１５重量％以下とすることが望ましい。
【００６３】
本発明の洗浄剤組成物には、さらに水溶性多価アルコールを含有させることにより、洗浄性、洗浄後のすすぎ性、水などの他の成分を配合する際の相溶性を向上させることができる。
【００６４】
前記水溶性多価アルコールとしては、２５℃で、水１００ｇに対して２０ｇ以上溶解する多価アルコールが好ましい。また、水溶性多価アルコールのアルコール性水酸基の数は、洗浄剤組成物の水溶性の観点から、２以上であり、また、極性および融点の観点から、３以下であることが好ましい。
【００６５】
前記水溶性多価アルコールの代表例としては、例えば、エチレングリコール類、プロピレングリコール類、ジオール類、トリオール類などがあげられが、これらは単独でまたは２種以上を混合して用いることができる。
【００６６】
前記水溶性多価アルコールの中では、洗浄性の向上、洗浄後のすすぎ性、水などの他の成分を配合する際の相溶性および入手の容易性の観点から、エチレングリコール、ジエチレングリコール、トリエチレングリコール、テトラエチレングリコール、ペンタエチレングリコール、ヘキサエチレングリコール、ヘプタエチレングリコール、オクタエチレングリコール、ノナエチレングリコール、デカエチレングリコール、プロピレングリコール、ジプロピレングリコール、トリプロピレングリコール、１，２−プロパンジオール、１，３−プロパンジオール、２−メチル−１，３−プロパンジオール、１，３−ブタンジオール、１，４−ブタンジオール、１，４−ブテンジオール、１，４−ペンタンジオール、１，５−ペンタンジオール、１，５−ヘキサンジオール、１，６−ヘキサンジオールなどの、直線状に近い分子構造を持ち、分子の両末端近くにそれぞれ１個の水酸基を持つ２価の水溶性多価アルコールが好ましい。
【００６７】
前記水溶性多価アルコールの洗浄剤組成物中における含有量は、洗浄性や洗浄後のすすぎ性向上などの観点から、１重量％以上、好ましくは２重量％以上、より好ましくは５重量％以上、特に好ましくは８重量％以上であることが望ましく、また、水などの他の成分を配合する際の相溶性を向上させ、樹脂状汚れの洗浄性の低下を抑える観点から、４５重量％以下、好ましくは３０重量％以下、より好ましくは１５重量％以下、特に好ましくは１０重量％以下であることが望ましい。
【００６８】
本発明の洗浄剤組成物においては、本発明の効果を損なわない範囲内で、必要に応じて、通常洗浄剤に用いられる、ヒドロキシエチルアミノ酢酸、ヒドロキシエチルイミノ二酢酸、エチレンジアミン四酢酸などのアミノカルボン酸塩などのキレート化剤、防腐剤、防錆剤、シリコーンなどの消泡剤、酸化防止剤、ヤシ脂肪酸メチルや酢酸ベンジルなどのエステル、炭化水素系溶剤、アルコール類などの添加剤を適宜含有させることができる。
【００６９】
本発明の洗浄剤組成物は、芳香族化合物、有機系アルカリ剤、カルシウムイオン放出性物質および水、さらにはアルキレンオキサイド化合物、水溶性多価アルコール、添加剤などを常法により混合することによって製造することができる。
【００７０】
また、芳香族化合物、さらにはアルキレンオキサイド化合物、水溶性多価アルコールなどと、有機系アルカリ剤を所定量含有するアルカリ系洗浄剤とを所定の比率で混合することによっても、本発明の洗浄剤組成物を得ることができる。
【００７１】
かくして得られる本発明のプラスチックレンズ成形ガラス型用洗浄剤組成物は、種々の樹脂状の汚れに対して優れた洗浄性を有し、しかも洗浄時に使用する洗浄機器関連の部材を腐食させない性質を有する洗浄剤組成物である。また、本発明のプラスチックレンズ成形ガラス型用洗浄剤組成物は、人体に対する安全性の高い組成であるため、洗浄時において、人体に対する安全性が高いという優れた性質を発現する。
【００７２】
次に、本発明のプラスチックレンズ成形ガラス型の洗浄方法について説明する。本発明の洗浄方法は、前記洗浄剤組成物を用いて樹脂状汚れなどが付着した成形ガラス型を洗浄する方法である。
【００７３】
すなわち、
（Ａ）前記洗浄剤組成物を用いてプラスチックレンズ成形ガラス型を、洗浄し、
（Ｂ）洗浄された成形ガラス型を、すすぎ水ですすぐことを特徴とする洗浄方法である。
【００７４】
本発明の洗浄方法においては、前記洗浄剤組成物が用いられているので、洗浄時に使用する洗浄機器関連の部材を腐食させずに種々の樹脂状汚れを洗浄することができる。
【００７５】
前記工程（Ａ）は、前記洗浄剤組成物を用いてプラスチックレンズ成形ガラス型を洗浄する工程である。
【００７６】
前記洗浄剤組成物を用いた洗浄方法は、特に限定されるものではなく、通常用いられる公知の方法を使用することができる。例えば、浸漬法、浸漬揺動法、超音波洗浄法、スプレー法、手拭き法などの洗浄方法があげられる。また、洗浄剤組成物の温度、洗浄時間などの洗浄条件は、特に限定されるものではない。
【００７７】
前記工程（Ｂ）は、前記工程（Ａ）で洗浄された成形ガラス型をすすぎ水ですすぐ工程である。
【００７８】
前記工程（Ｂ）においては、本発明の洗浄剤組成物で洗浄された成形ガラス型を、容易に、しかも短時間ですすぐことができる。
【００７９】
前記すすぎ水としては、成形ガラス型表面に残留する汚染物を除去することができるものであれば特に限定されないが、例えば、超純水、純水、イオン交換水、蒸留水、水道水などがすすぎの容易性の観点から好ましい。また、すすぎ方法にも特に限定されるものではなく、工程（Ａ）の洗浄方法と同様の方法を用いることができる。また、すすぎ条件も特に限定されるものではなく、適宜選択すればよい。
【００８０】
本発明のプラスチックレンズ成形ガラス型用洗浄剤組成物を用いた洗浄方法は、樹脂状汚れなどの分解および溶解を引き起こす成分と樹脂状汚れなどの剥離を引き起こす成分とが同時に洗浄剤組成物に含まれているため、単一の洗浄槽を用いて、樹脂状汚れなどの洗浄を行うことができるという簡便な洗浄方法である。また、本発明のプラスチックレンズ成形ガラス型の洗浄方法は、洗浄時に使用する洗浄機器関連の部材を腐食させることのない洗浄剤組成物を使用しているため、洗浄時に、洗浄機器関連の部材の品質を損なうことなく洗浄できるという優れた効果を発現する。さらに、本発明のプラスチックレンズ成形ガラス型用洗浄剤組成物を用いた洗浄方法は、人体に対する安全性が高い洗浄剤組成物を使用しているため、洗浄時において人体に対する安全性が高いという優れた効果を発現する。
【００８１】
【実施例】
以下、実施例により本発明をさらに詳しく説明するが、本発明はかかる実施例によりなんら制限されるものではない。
【００８２】
製造例〔テストピースの製造〕
（１）ジエチレングリコールビスアリルカーボネート（ＡＤＣ）樹脂状汚れの調製
直径８．０ｃｍ、外周縁側の側面の高さが０．５ｃｍであるガラス型の外周縁側に、厚さ０．１ｍのシリコーンゴムシート（（株）井内盛栄堂製）を、幅０．５ｃｍ、長さ３０．０ｃｍに切りとったものを巻き付け、端をセロハン粘着テープで止めた。ガラス型の外周縁側と巻き付けたシリコーンゴムシートの隙間に、モノマーとしてジエチレングリコールビスアリルカーボネート（ＰＰＧ社製、商品名：ＣＲ−３９モノマー）１００重量部と重合触媒としてジイソプロピルパーオキシジカーボネート（日本油脂（株）製、商品名：パーロイルＩＰＰ−２７（ＣＲ））１１重量部とを配合し、低温で均一になるように攪拌したモノマー混合物０．３ｍｌを入れた。このガラス型を共栓付きの５００ｍｌ容のガラス製ビーカーに入れ、窒素シールした。４０℃で２時間、６０℃で２時間、さらに８０℃で１８時間加熱することによって重合させ、固形化の後、シリコーンゴムシートを外して、ＡＤＣ樹脂汚れの洗浄試験用のテストピースとした。
【００８３】
（２）鋳型固定用テープの粘着剤汚れの調製
１．１ｍｍ×７６．０ｍｍ×２６．０ｍｍのアルカリ珪酸ガラス板に鋳型固定用テープ（光洋光学（株）製）を一面に隙間なく張り付けた。このアルカリ珪酸ガラス板をステンレス製の蓋付きトレーに入れ、窒素ガスで満たした後、完全に密閉した。その後、４０℃で２時間、６０℃で２時間、さらに８０℃で１８時間加熱した。このものを室温になるまで放冷した後、テープのみを剥がして、鋳型固定用テープの粘着剤汚れの洗浄試験用のテストピースとした。
【００８４】
実施例１〜２０および比較例１〜１６
表１〜４に示す組成（組成比単位は重量％）の各種洗浄剤組成物を調製し、これらの洗浄剤組成物を用いてガラスの洗浄性と金属部材腐食性を評価した。実施例１〜２０の各種洗浄剤組成物の組成を表１および２に、比較例１〜１６の各種洗浄剤組成物の組成を表３および４に示す。
【００８５】
【表１】
0003595140.tif 000004
【００８６】
【表２】
0003595140.tif 000005
【００８７】
【表３】
0003595140.tif 000006
【００８８】
【表４】
0003595140.tif 000007
【００８９】
〔洗浄試験〕
前記ＡＤＣ樹脂状汚れと粘着剤汚れの洗浄試験用のテストピースを、６０℃に保持した表１〜４に示す洗浄剤組成物に浸漬し、３９ｋＨｚ、２００Ｗの超音波洗浄装置（シャープ（株）製、商品名：ＳＩＬＥＮＴＳＯＮＩＣ  ＵＴ−２０４）で１００秒間洗浄した。
【００９０】
次いで、３０℃のイオン交換水に浸漬し、洗浄と同様の超音波洗浄装置で５０秒間リンスした（第１リンス）。さらに、同じく、３０℃のイオン交換水に浸漬し、超音波洗浄装置で５０秒間仕上げリンスした（第２リンス）。その後、５０秒間エアーブローし、送風定温乾燥機（（株）東洋製作所製、商品名：ＦＶ−６３０）にて８０℃、１０分間乾燥した。
【００９１】
なお、比較例１２および１３では、塩化メチレンを配合した洗浄剤組成物として、１つの槽で洗浄温度３５℃（沸点：４０．２℃）で、１００秒間同様に洗浄した。その後、塩化メチレン（室温）に浸漬し、上記の超音波洗浄装置を用いて５０秒間のリンス（第１リンス）を行い、更に、３０℃のイオン交換水に浸漬し、超音波洗浄装置で５０秒間仕上げリンス（第２リンス）を行なった。その後、５０秒間エアーブローし、送風定温乾燥機（（株）東洋製作所製、商品名：ＦＶ−６３０）にて８０℃、１０分間乾燥した。
【００９２】
各洗浄剤組成物について、上記の条件で、ＡＤＣ樹脂状汚れと粘着剤汚れの各々５枚のテストピースを洗浄し、計５個のモデル樹脂状汚れの洗浄率を、洗浄前後のテストピースの重量の変化より求め、その平均値をとって、洗浄率（％）とした。
【００９３】
〔金属部材への影響試験〕
銅（ＪＩＳ  Ｈ３１００）およびハンダ（ＪＩＳ  Ｚ３２８２（３０ＳＮＡ））製テストピース（太佑機材（株）製）を、各々８０℃に保った表１〜４記載の洗浄剤組成物に２４時間浸漬した。洗浄剤組成物から取り出したテストピースを、清浄なイオン交換水にて十分にすすいだ後、１分間エアーブローし、室内にて風乾させた。
【００９４】
なお、比較例１２および１３では、テストピースを、各々３５℃に保った塩化メチレンを配合した洗浄剤組成物に２４時間浸漬した。洗浄剤組成物から取り出したテストピースを、清浄なイオン交換水にて十分に掛け濯いした後、１分間エアーブローし、室内にて風乾させた。洗浄後のテストピースの表面状態を目視にて観察した。
【００９５】
（評価基準）
◎：洗浄前と変化なく、非常に良好
○：光沢が少し低下しているものの、表面は平坦で、良好
△：光沢がなく、変色しており、やや悪い
×：ひどく変色したり、錆が発生および表面が腐食し荒れてしまっており、状態が悪い
【００９６】
以上の結果を表５〜８に示す。
【００９７】
【表５】
0003595140.tif 000008
【００９８】
【表６】
0003595140.tif 000009
【００９９】
【表７】
0003595140.tif 000010
【０１００】
【表８】
0003595140.tif 000011
【０１０１】
表５〜７に示された結果から、実施例１〜２０で得られた洗浄剤組成物は、比較例１〜１１の洗浄剤組成物と比べ、ＡＤＣ樹脂状汚れおよびウレタン樹脂状汚れに対する洗浄率、ならびに金属部材の腐食性に対する評価のいずれにおいても優れたものであることがわかる。
【０１０２】
さらに、表５、６および表８に示された結果から、従来の比較例１２〜１６の洗浄剤組成物と比べて、実施例１〜２０で得られた洗浄剤組成物は、いずれもＡＤＣ樹脂状汚れおよびウレタン樹脂状汚れに対する洗浄率、ならびに金属部材の腐食性に対する評価のいずれにおいても優れたものであることがわかる。
【０１０３】
したがって、実施例１〜２０における洗浄方法は、従来の洗浄方法と比べて、金属部材を腐食させることなく優れた洗浄力を発現するものであることがわかる。
【０１０４】
【発明の効果】
本発明のプラスチックレンズ成形ガラス型用洗浄剤組成物は、種々の樹脂状汚れに対しても優れた洗浄性を有し、かつ洗浄時に使用する洗浄機器関連の部材を腐食しないという優れた性質を発現するものである。また、本発明の洗浄剤組成物は、人体に対する安全性が高いものであるため、洗浄時において人体に対する安全性が高いという優れた性質を発現する。
【０１０５】
また、本発明の洗浄方法によれば、樹脂状汚れなどの分解および溶解を引き起こす成分と樹脂状汚れなどの剥離を引き起こす成分が同時に含まれている洗浄剤組成物が用いられているので、１つの洗浄槽を用いて、樹脂状汚れなどを簡便に洗浄することができるという優れた効果が奏される。また、本発明の洗浄方法で使用されている洗浄剤は、人体に対する安全性が高いものであるため、本発明の洗浄方法は、洗浄時において、人体に対する安全性が高いという優れた効果が奏される。